(57)【要約】【課題】最適受信方向を効率的に設定する。【解決手段】デジタル放送受信機のＭＰＵ１１は、機能的に、アンテナ部１５１に接続されたアンテナが、互いになす角が略１８０°である２方向に指向性を有する２指向性アンテナであるか、１方向にのみ指向性を有する１指向性アンテナであるかを判定するアンテナ判定部１１５と、２指向性アンテナ、１指向性アンテナであると判定された場合に、それぞれ、０°〜１８０°、０°〜３６０°の間における予め設定された複数の方向に、接続されたアンテナを設定して、設定された方向毎に受信強度を取得する第２強度取得部１１６と、接続されたアンテナの方向を、取得された受信強度の内、最大の受信強度の方向に設定する方向設定部１１７と、を備えている。【選択図】図２
2008199244.tif 000002
【特許請求の範囲】
【請求項１】
指向性の方向を変更可能に構成されたアンテナであるスマートアンテナを接続可能に構成されると共に、接続されたアンテナを介してテレビジョン放送を受信し、モニタに出力可能に構成された放送受信装置であって、
接続されたアンテナがスマートアンテナであるか否かを判定する第１判定手段と、
前記第１判定手段によって接続されたアンテナがスマートアンテナであると判定された場合に、接続されたアンテナが、互いになす角が略１８０°である２方向に指向性を有する２指向性アンテナであるか、１方向にのみ指向性を有する１指向性アンテナであるかを判定する第２判定手段と、
前記第１判定手段によってスマートアンテナであると判定された場合に限って、接続されたアンテナを予め設定された複数の方向に設定し、設定された方向毎に受信強度を取得する強度取得手段と、
接続されたアンテナの方向を、前記強度取得手段によって取得された受信強度の内、最大の受信強度の方向に設定する方向設定手段と、
を備え、
前記強度取得手段は、
前記第２判定手段によって２指向性アンテナであると判定された場合に、予め設定された１の方向と、該１の方向とのなす角が１８０°の方向と、の間において、互いになす角が２２．５°である８個の方向に接続されたアンテナを設定して、設定された方向毎に受信強度を取得し、
前記第２判定手段によって１指向性アンテナであると判定された場合に、予め設定された１の方向と、該１の方向とのなす角が３６０°の方向と、の間において、互いになす角が２２．５°である１６個の方向に、接続されたアンテナを設定して、設定された方向毎に受信強度を取得することを特徴とする放送受信装置。
【請求項２】
指向性の方向を変更可能に構成されたアンテナであるスマートアンテナを接続可能に構成されると共に、接続されたアンテナを介してテレビジョン放送を受信し、モニタに出力可能に構成された放送受信装置であって、
接続されたアンテナがスマートアンテナであるか否かを判定する第１判定手段と、
前記第１判定手段によって接続されたアンテナがスマートアンテナであると判定された場合に、接続されたアンテナが、互いになす角が略１８０°である２方向に指向性を有する２指向性アンテナであるか、１方向にのみ指向性を有する１指向性アンテナであるかを判定する第２判定手段と、
前記第１判定手段によってスマートアンテナであると判定された場合に限って、接続されたアンテナを予め設定された複数の方向に設定し、設定された方向毎に受信強度を取得する強度取得手段と、
接続されたアンテナの方向を、前記強度取得手段によって取得された受信強度の内、最大の受信強度の方向に設定する方向設定手段と、
を備え、
前記強度取得手段は、
前記第２判定手段によって２指向性アンテナであると判定された場合に、予め設定された１の方向と、該１の方向とのなす角が１８０°の方向と、の間における予め設定された複数の方向に、接続されたアンテナを設定して、設定された方向毎に受信強度を取得し、
前記第２判定手段によって１指向性アンテナであると判定された場合に、予め設定された１の方向と、該１の方向とのなす角が３６０°の方向と、の間における予め設定された複数の方向に、接続されたアンテナを設定して、設定された方向毎に受信強度を取得することを特徴とする放送受信装置。
【請求項３】
前記強度取得手段は、
前記第２判定手段によって２指向性アンテナであると判定された場合に、予め設定された１の方向と、該１の方向とのなす角が１８０°の方向と、の間において、互いになす角が２２．５°である８個の方向に接続されたアンテナを設定し、
前記第２判定手段によって１指向性アンテナであると判定された場合に、予め設定された１の方向と、該１の方向とのなす角が３６０°の方向と、の間において、互いになす角が２２．５°である１６個の方向に、接続されたアンテナを設定することを特徴とする請求項２に記載の放送受信装置。
【発明の詳細な説明】
【技術分野】
【０００１】
本発明は、指向性の方向を変更可能に構成されたアンテナであるスマートアンテナを接続可能に構成されると共に、接続されたアンテナを介してテレビジョン放送を受信し、モニタに出力可能に構成された放送受信装置に関する。
【背景技術】
【０００２】
従来、テレビジョン放送を受信するために、八木アンテナ等の指向性アンテナが使用されている。このような指向性アンテナは、強い指向性により弱い電波でも受信することができる一方、特定方向からの電波しか受信するができないという欠点がある。このような特性は、テレビジョン放送波を送出する送信塔が一箇所に集中している日本等においてはあまり問題にならないが、米国等においては、都市部を囲むように複数の送信塔が分布している地域も多く、指向性アンテナを利用した場合、送信塔からの距離が近くても受信できない局が存在することがあった。
【０００３】
そこで、このような問題を解決すべく、アンテナの指向性を変更できるように、受信装置からアンテナをコントロールする規格であるＥＩＡ（Ｅｌｅｃｔｒｏｎｉｃ  Ｉｎｄｕｓｔｒｉｅｓ  Ａｌｌｉａｎｃｅ）−９０９（＝Ａｎｔｅｎｎａ  Ｃｏｎｔｒｏｌ  Ｉｎｔｅｒｆａｃｅ）が制定された。これは、受信装置に指向性を変更できるアンテナ（以下、スマートアンテナという）を接続し、これを受信装置側からモジュラ端子を介して制御するための規格である。
【０００４】
このようなスマートアンテナが接続可能なテレビジョン放送受信装置では、各チャンネルについて、テレビジョン放送信号を最も状態良く受信できるスマートアンテナの方向（以下、最適受信方向という）を設定する必要があり、最適受信方向を設定するための種々の装置、方法が提案されている。
【０００５】
例えば、接続されたアンテナに対して、全ての受信方向を順次指示するための受信方向制御信号を出力し、各受信方向を指示した際に受信したテレビジョン放送信号の受信強度を測定すし、測定された受信強度に基づいて、接続されたアンテナがスマートアンテナであるか否かを判定するＴＶ放送受信装置が開示されている（特許文献１参照）。このようなＴＶ放送受信装置によれば、接続されたアンテナがスマートアンテナであるか否かを判定できると共に、スマートアンテナであるか否かに応じて適切な受信制御を行うことができる。
【特許文献１】特開２００６−２０１２８５号公報
【発明の開示】
【発明が解決しようとする課題】
【０００６】
しかしながら、上記ＴＶ放送受信装置では、接続されたスマートアンテナの指向性については判定できないため、最適受信方向を設定する処理に時間を要するという問題があった。すなわち、接続されたスマートアンテナが互いになす角が略１８０°である２方向に指向性を有する２指向性アンテナである場合には、略１８０°の範囲内の各方向に最適受信方向を設定するための受信強度を求めれば良いが、２指向性アンテナであるか否かが不明の場合には、略３６０°の範囲内の各方向に最適受信方向を設定するための受信強度を求める必要があるのである。
【０００７】
本発明は、上記課題に鑑みてなされたものであって、最適受信方向を効率的に設定することが可能な放送受信装置を提供することを目的としている。
【課題を解決するための手段】
【０００８】
上記目的を達成するために請求項１に記載の放送受信装置は、指向性の方向を変更可能に構成されたアンテナであるスマートアンテナを接続可能に構成されると共に、接続されたアンテナを介してテレビジョン放送を受信し、モニタに出力可能に構成された放送受信装置であって、接続されたアンテナがスマートアンテナであるか否かを判定する第１判定手段と、前記第１判定手段によって接続されたアンテナがスマートアンテナであると判定された場合に、接続されたアンテナが、互いになす角が略１８０°である２方向に指向性を有する２指向性アンテナであるか、１方向にのみ指向性を有する１指向性アンテナであるかを判定する第２判定手段と、前記第１判定手段によってスマートアンテナであると判定された場合に限って、接続されたアンテナを予め設定された複数の方向に設定し、設定された方向毎に受信強度を取得する強度取得手段と、接続されたアンテナの方向を、前記強度取得手段によって取得された受信強度の内、最大の受信強度の方向に設定する方向設定手段と、を備え、前記強度取得手段が、前記第２判定手段によって２指向性アンテナであると判定された場合に、予め設定された１の方向と、該１の方向とのなす角が１８０°の方向と、の間において、互いになす角が２２．５°である８個の方向に接続されたアンテナを設定して、設定された方向毎に受信強度を取得し、前記第２判定手段によって１指向性アンテナであると判定された場合に、予め設定された１の方向と、該１の方向とのなす角が３６０°の方向と、の間において、互いになす角が２２．５°である１６個の方向に、接続されたアンテナを設定して、設定された方向毎に受信強度を取得することを特徴としている。
【０００９】
請求項２に記載の放送受信装置は、指向性の方向を変更可能に構成されたアンテナであるスマートアンテナを接続可能に構成されると共に、接続されたアンテナを介してテレビジョン放送を受信し、モニタに出力可能に構成された放送受信装置であって、接続されたアンテナがスマートアンテナであるか否かを判定する第１判定手段と、前記第１判定手段によって接続されたアンテナがスマートアンテナであると判定された場合に、接続されたアンテナが、互いになす角が略１８０°である２方向に指向性を有する２指向性アンテナであるか、１方向にのみ指向性を有する１指向性アンテナであるかを判定する第２判定手段と、前記第１判定手段によってスマートアンテナであると判定された場合に限って、接続されたアンテナを予め設定された複数の方向に設定し、設定された方向毎に受信強度を取得する強度取得手段と、接続されたアンテナの方向を、前記強度取得手段によって取得された受信強度の内、最大の受信強度の方向に設定する方向設定手段と、を備え、前記強度取得手段が、前記第２判定手段によって２指向性アンテナであると判定された場合に、予め設定された１の方向と、該１の方向とのなす角が１８０°の方向と、の間における予め設定された複数の方向に、接続されたアンテナを設定して、設定された方向毎に受信強度を取得し、前記第２判定手段によって２指向性アンテナであると判定された場合に、予め設定された１の方向と、該１の方向とのなす角が３６０°の方向と、の間における予め設定された複数の方向に、接続されたアンテナを設定して、設定された方向毎に受信強度を取得することを特徴としている。
【００１０】
請求項３に記載の放送受信装置は、請求項２に記載の放送受信装置であって、前記強度取得手段は、前記第２判定手段によって２指向性アンテナであると判定された場合に、予め設定された１の方向と、該１の方向とのなす角が１８０°の方向と、の間において、互いになす角が２２．５°である８個の方向に接続されたアンテナを設定し、前記第２判定手段によって１指向性アンテナであると判定された場合に、予め設定された１の方向と、該１の方向とのなす角が３６０°の方向と、の間において、互いになす角が２２．５°である１６個の方向に、接続されたアンテナを設定することを特徴としている。
【発明の効果】
【００１１】
請求項１に記載の放送受信装置によれば、接続されたアンテナがスマートアンテナであるか否かが判定され、スマートアンテナであると判定された場合に、接続されたアンテナが、互いになす角が略１８０°である２方向に指向性を有する２指向性アンテナであるか、１方向にのみ指向性を有する１指向性アンテナであるかがを判定される。そして、スマートアンテナであると判定された場合に限って、接続されたアンテナが予め設定された複数の方向に設定され、設定された方向毎に受信強度が取得される。また、２指向性アンテナであると判定された場合に、予め設定された１の方向と、該１の方向とのなす角が１８０°の方向と、の間における予め設定された複数の方向に、接続されたアンテナが設定され、設定された方向毎に受信強度が取得され、１指向性アンテナであると判定された場合に、予め設定された１の方向と、該１の方向とのなす角が３６０°の方向と、の間における予め設定された複数の方向に、接続されたアンテナが設定されて、設定された方向毎に受信強度が取得される。更に、接続されたアンテナの方向が、取得された受信強度の内、最大の受信強度の方向に設定されるため、最適受信方向を効率的に設定することができる。
【００１２】
すなわち、アンテナの種類（スマートアンテナであるか否か、及び、２指向性アンテナであるか否か）に応じて、適正な個数の方向における受信強度の取得が行われるため、最適受信方向を効率的に設定することができるのである。つまり、スマートアンテナではないと判定された場合には、複数の方向の受信強度が取得されることがないので、最適受信方向を効率的に設定することができるのである。更に、２指向性アンテナであると判定された場合には、予め設定された１の方向と、該１の方向とのなす角が１８０°の方向と、の間における予め設定された複数の方向に、接続されたアンテナが設定され、設定された方向毎に受信強度が取得され、取得された受信強度の内、最大の受信強度の方向に接続されたアンテナの方向が設定されるため、１指向性アンテナである場合と比較して受信強度の取得に要する時間が約半分に削減することができるのである。
【００１３】
また、２指向性アンテナであると判定された場合に、予め設定された１の方向と、該１の方向とのなす角が１８０°の方向と、の間において、互いになす角が２２．５°である８個の方向に接続されたアンテナが設定され、１指向性アンテナであると判定された場合に、予め設定された１の方向と、該１の方向とのなす角が３６０°の方向と、の間において、互いになす角が２２．５°である１６個の方向に、接続されたアンテナが設定されるため、最適受信方向を更に効率的に設定することができる。
【００１４】
すなわち、互いになす角が一定（ここでは、２２．５°）の８個の方向（又は１６個の方向）に、接続されたアンテナが設定されるため、アンテナの指向性の拡がり角に適合した方向の受信強度が取得されるため、最適受信方向を更に効率的に設定することができるのである。
【００１５】
請求項２に記載の放送受信装置によれば、接続されたアンテナがスマートアンテナであるか否かが判定され、スマートアンテナであると判定された場合に、接続されたアンテナが、互いになす角が略１８０°である２方向に指向性を有する２指向性アンテナであるか、１方向にのみ指向性を有する１指向性アンテナであるかがを判定される。そして、スマートアンテナであると判定された場合に限って、接続されたアンテナが予め設定された複数の方向に設定され、設定された方向毎に受信強度が取得される。また、２指向性アンテナであると判定された場合に、予め設定された１の方向と、該１の方向とのなす角が１８０°の方向と、の間における予め設定された複数の方向に、接続されたアンテナが設定され、設定された方向毎に受信強度が取得され、１指向性アンテナであると判定された場合に、予め設定された１の方向と、該１の方向とのなす角が３６０°の方向と、の間における予め設定された複数の方向に、接続されたアンテナが設定されて、設定された方向毎に受信強度が取得される。更に、接続されたアンテナの方向が、取得された受信強度の内、最大の受信強度の方向に設定されるため、最適受信方向を効率的に設定することができる。
【００１６】
すなわち、アンテナの種類（スマートアンテナであるか否か、及び、２指向性アンテナであるか否か）に応じて、適正な個数の方向における受信強度の取得が行われるため、最適受信方向を効率的に設定することができるのである。つまり、スマートアンテナではないと判定された場合には、複数の方向の受信強度が取得されることがないので、最適受信方向を効率的に設定することができるのである。更に、２指向性アンテナであると判定された場合には、予め設定された１の方向と、該１の方向とのなす角が１８０°の方向と、の間における予め設定された複数の方向に、接続されたアンテナが設定され、設定された方向毎に受信強度が取得され、取得された受信強度の内、最大の受信強度の方向に接続されたアンテナの方向が設定されるため、１指向性アンテナである場合と比較して受信強度の取得に要する時間が約半分に削減することができるのである。
【００１７】
請求項３に記載の放送受信装置によれば、２指向性アンテナであると判定された場合に、予め設定された１の方向と、該１の方向とのなす角が１８０°の方向と、の間において、互いになす角が２２．５°である８個の方向に接続されたアンテナが設定され、１指向性アンテナであると判定された場合に、予め設定された１の方向と、該１の方向とのなす角が３６０°の方向と、の間において、互いになす角が２２．５°である１６個の方向に、接続されたアンテナが設定されるため、最適受信方向を更に効率的に設定することができる。
【００１８】
すなわち、互いになす角が一定（ここでは、２２．５°）の８個の方向（又は１６個の方向）に、接続されたアンテナが設定されるため、アンテナの指向性の拡がり角に適合した方向の受信強度が取得されるため、最適受信方向を更に効率的に設定することができるのである。
【発明を実施するための最良の形態】
【００１９】
以下に本発明の実施形態を、図面を参照しながら説明する。図１は、本発明に係るデジタル放送受信機の構成の一例を示すブロック図である。デジタル放送受信機１（放送受信装置に相当する）は、テレビジョン放送を受信し、後述するディスプレイ１８３及びスピーカ１６３に出力するものであって、ＭＰＵ１１、ＲＡＭ１２、ＲＯＭ１３、操作部１４、受信部１５、音声出力部１６、ＭＰＥＧ２デコード部１７、及び、画像出力部１８を備えている。
【００２０】
ＭＰＵ（Ｍｉｃｒｏ  Ｐｒｏｃｅｓｓｉｎｇ  Ｕｎｉｔ）１１は、デジタル放送受信機１全体の動作を制御するものである。ＲＡＭ（Ｒａｎｄｏｍ  Ａｃｃｅｓｓ  Ｍｅｍｏｒｙ）１２は、音声情報、映像情報等の情報を読み書き自在に格納するものである。ＲＯＭ（Ｒｅａｄ  Ｏｎｌｙ  Ｍｅｍｏｒｙ）１３は、ＭＰＵ１１を動作させる制御プログラム等を格納するものである。
【００２１】
操作部１４は、電源のＯＮ、ＯＦＦ操作、チャンネル選局等の各種操作を受け付けるものである。受信部１５（強度取得手段の一部に相当する）は、テレビジョン放送を受信して復調するものであって、アンテナ部１５１、チューナ部１５２、Ａ／Ｄ変換部１５３、復調部１５４、及び、ＴＳデマルチプレクサ１５５を備えている。
【００２２】
アンテナ部１５１は、ＥＩＡ−９０９規格に則って指向性を変更できるアンテナであるスマートアンテナを接続可能に構成され、テレビジョン放送波を受信するものである。チューナ部１５２は、アンテナ部１５１で受信されたテレビジョン放送波から、予め設定されたチャンネルの放送を選局するものである。Ａ／Ｄ変換部１５３は、チューナ部１５２からの出力信号（＝アナログ信号）をデジタル情報に変換するものである。復調部１５４は、Ａ／Ｄ変換部１５３からの出力情報を復調するものである。ＴＳ（Ｔｒａｎｓｐｏｒｔ  Ｓｔｒｅａｍ）デマルチプレクサ１５５は、復調部１５４によって復調された出力情報を種別毎に（＝映像情報、音声情報、制御情報等に）分離して出力するものである。
【００２３】
音声出力部１６は、受信部１５によって受信された１のテレビジョン放送に対応する音声を出力するものであって、Ｄ／Ａ変換部１６１、音声信号出力部１６２、及び、スピーカ１６３を備えている。Ｄ／Ａ変換部１６１は、ＴＳデマルチプレクサ１５５から出力された音声情報（＝デジタル情報）をアナログ信号に変換するものである。音声信号出力部１６２は、Ｄ／Ａ変換部１６１によってアナログ信号に変換された音声信号を出力するものである。スピーカ１６３は、音声信号出力部１６２から出力された音声信号に対応する音声を出力するものである。
【００２４】
ＭＰＥＧ（Ｍｏｔｉｏｎ  Ｐｉｃｔｕｒｅ  Ｅｘｐｅｒｔｓ  Ｇｒｏｕｐ）２デコード部１７は、ＴＳデマルチプレクサ１５５から出力された映像情報を圧縮前の映像情報に復号化するものである。
【００２５】
画像出力部１８は、ＭＰＥＧ２デコード部１７によって復号化された映像情報を出力するものであって、ＮＴＳＣエンコード部１８１、映像信号出力部１８２、及び、ディスプレイ１８３を備えている。ＮＴＳＣ（Ｎａｔｉｏｎａｌ  Ｔｅｌｅｖｉｓｉｏｎ  Ｓｔａｎｄａｒｄｓ  Ｃｏｍｍｉｔｔｅｅ）エンコード部１８１は、ＭＰＥＧ２デコード部１７によって復号化された映像情報をＮＴＳＣ方式のテレビジョン信号に変換するものである。映像信号出力部１８２は、ＮＴＳＣエンコード部１８１から出力されたＮＴＳＣ方式のテレビジョン信号をディスプレイ１８３に対して出力するものである。ディスプレイ１８３（モニタに相当する）は、ＬＣＤ（Ｌｉｑｕｉｄ  Ｃｒｙｓｔａｌ  Ｄｉｓｐｌａｙ）、ＰＤＰ（Ｐｌａｓｍａ  Ｄｉｓｐｌａｙ  Ｐａｎｅｌ）等を備え、映像信号出力部１８２から出力されたテレビジョン信号に対応する映像を表示するものである。
【００２６】
次に、デジタル放送受信機１が放送を受信する場合の動作について説明する。まず、送信されてきたデジタル放送波がアンテナ部１５１で受信される。操作部１４を介してチャンネル選局操作が受け付けられた場合には、チューナ部１５２によって受信するトランスポンダ（Ｔｒａｎｓｐｏｎｄｅｒ）の切換が行われる。受信されたデジタル放送波は、Ａ／Ｄ変換部１５３によりデジタル情報に変換され、復調部１５４によって復調される。
【００２７】
なお、デジタル放送波は、送信側（送信局）からＴＳ（Ｔｒａｎｓｐｏｒｔ  Ｓｔｒｅａｍ）パケットとして送信される。このＴＳパケットは、映像情報、音声情報、制御情報等からなり、これらの情報がＴＳデマルチプレクサ１５５によって、分離して出力され、ＲＡＭ１２に格納される。そして、ＲＡＭ１２から読み出された音声情報がＤ／Ａ変換部１６１によってアナログ信号に変換され、音声信号出力部１６２を介してスピーカ１６３から音声が出力される。
【００２８】
また、ＲＡＭ１２から読み出された映像情報がＭＰＥＧ２デコード部１７によって圧縮前の映像情報に復号化され、ＮＴＳＣエンコード部１８１によってＮＴＳＣ方式のテレビジョン信号に変換されて、映像信号出力部１８２を介してディスプレイ１８３に映像が表示される。
【００２９】
図２は、本発明に係るデジタル放送受信機１における主要部の構成の一例を示すブロック図である。図１に示すデジタル放送受信機１のＭＰＵ１１は、機能的に、チャンネル設定部１１１、チャンネル判定部１１２、第１強度取得部１１３、判定値決定部１１４、アンテナ判定部１１５、第２強度取得部１１６、及び、方向設定部１１７を備え、ＲＡＭ１２は、機能的に、チャンネル記憶部１２１、判定値記憶部１２２、及び、設定方向記憶部１２３を備えている。
【００３０】
ここでは、ＭＰＵ１１が、図１に示すＲＯＭ１３等に予め格納された制御プログラムを読み出して実行することにより、チャンネル設定部１１１、チャンネル判定部１１２、第１強度取得部１１３、判定値決定部１１４、アンテナ判定部１１５、第２強度取得部１１６、及び、方向設定部１１７等の機能部として機能すると共に、ＲＡＭ１２を、チャンネル記憶部１２１、判定値記憶部１２２、設定方向記憶部１２３等の機能部として機能させるものである。
【００３１】
また、ＲＡＭ１２、図１に示すＲＯＭ１３に格納された各種データのうち装着脱可能な記録媒体に格納され得るデータは、例えばハードディスクドライブ、光ディスクドライブ、フレキシブルディスクドライブ、シリコンディスクドライブ、カセット媒体読み取り機等のドライバで読み取り可能にしても良く、この場合、記録媒体は、例えばハードディスク、光ディスク、フレキシブルディスク、ＣＤ（Ｃｏｍｐａｃｔ  Ｄｉｓｋ）、ＤＶＤ（Ｄｉｇｉｔａｌ  Ｖｅｒｓａｔｉｌｅ  Ｄｉｓｋ）、半導体メモリ等である。
【００３２】
チャンネル記憶部１２１は、予め設定された複数のチャンネル毎に、ＵＨＦ（Ｕｌｔｒａ  Ｈｉｇｈ  Ｆｒｅｑｕｅｎｃｙ）帯に属するチャンネルであるか、ＶＨＦ（Ｖｅｒｙ  Ｈｉｇｈ  Ｆｒｅｑｕｅｎｃｙ）帯に属するチャンネルであるかを示す情報（以下、周波数識別情報という）を格納するものである（図３（ａ）参照）。
【００３３】
判定値記憶部１２２（第１判定手段の一部、第２判定手段の一部に相当する）は、判定値決定部１１４によって決定され、アンテナ判定部１１５によってアンテナの種類（＝スマートアンテナであるか否か、及び、２指向性アンテナであるか否か）を判定するために用いられる判定値Ｖ１〜Ｖ３、Ｕ１〜Ｕ３を格納するものである（図３（ｂ）参照）。
【００３４】
設定方向記憶部１２３は、予め設定された複数のチャンネル毎に、方向設定部１１７によって判定された受信可否を示す受信可否情報、及び、設定された最適受信方向（＝テレビジョン放送信号を最も状態良く受信できるスマートアンテナの方向）を示す情報を格納するものである（図３（ｃ）参照）。
【００３５】
図３は、チャンネル記憶部１２１、判定値記憶部１２２及び設定方向記憶部１２３にそれぞれ格納された情報の一例を示す図表である。（ａ）は、チャンネル記憶部１２１に格納された情報の一例を示す図表である。ここでは、チャンネル番号と対応付けて、ＵＨＦ帯に属するチャンネルであるか、ＶＨＦ帯に属するチャンネルであるかを示す情報（＝周波数識別情報）が格納されている。例えば、チャンネル番号が「２」〜「１４」のチャンネルは、ＶＨＦ帯に属するチャンネルであり、チャンネル番号が「１５」〜「６９」のチャンネルは、ＵＨＦ帯に属するチャンネルである。
【００３６】
（ｂ）は、判定値記憶部１２２に格納された情報の一例を示す図表である。ここでは、判定値Ｖ１は、ＶＨＦ帯に属するチャンネルにおいて、アンテナ部１５１に接続されたアンテナがスマートアンテナではないアンテナであることを示す判定値であり、判定値Ｖ２は、ＶＨＦ帯に属するチャンネルにおいて、アンテナ部１５１に接続されたアンテナがスマートアンテナであって且つ２指向性のアンテナであることを示す判定値であり、判定値Ｖ３は、ＶＨＦ帯に属するチャンネルにおいて、アンテナ部１５１に接続されたアンテナがスマートアンテナであって且つ１指向性のアンテナであるであることを示す判定値である。
【００３７】
また、判定値Ｕ１は、ＵＨＦ帯に属するチャンネルにおいて、アンテナ部１５１に接続されたアンテナがスマートアンテナではないアンテナであることを示す判定値であり、判定値Ｕ２は、ＵＨＦ帯に属するチャンネルにおいて、アンテナ部１５１に接続されたアンテナがスマートアンテナであって且つ２指向性のアンテナであることを示す判定値であり、判定値Ｕ３は、ＵＨＦ帯に属するチャンネルにおいて、アンテナ部１５１に接続されたアンテナがスマートアンテナであって且つ１指向性のアンテナであるであることを示す判定値である。
【００３８】
（ｃ）は、設定方向記憶部１２３に格納された情報の一例を示す図表である。ここでは、チャンネル番号と対応付けて、方向設定部１１７によって設定された最適受信方向を示す情報、及び、受信可否を示す情報が格納されている。例えば、チャンネル番号が「２」のチャンネルは、受信可能であり、最適受信方向が方向Ｄ３（図４（ａ）参照）である。また、例えば、チャンネル番号が「３」のチャンネルは、受信不可能である。
【００３９】
再び、図２を用いて、ＭＰＵ１１の機能構成について説明する。チャンネル設定部１１１は、第１強度取得部１１３及び第２強度取得部１１６からの従って、受信部１５（チューナ部１５２）を介して、予め設定された複数のチャンネルの内、接続されたアンテナを介して受信する１のチャンネルを設定するものである。
【００４０】
チャンネル判定部１１２は、チャンネル設定部１１１によって設定された１のチャンネルがＵＨＦ帯に属するチャンネルであるか、ＶＨＦ帯に属するチャンネルであるかを判定するものである。具体的には、チャンネル判定部１１２は、チャンネル設定部１１１によって設定された１のチャンネルのチャンネル番号に対応する周波数識別情報（＝ＵＨＦ帯に属するチャンネルであるか、ＶＨＦ帯に属するチャンネルであるかを示す情報）を、チャンネル記憶部１２１から読み出すことによって、ＵＨＦ帯に属するチャンネルであるか、ＶＨＦ帯に属するチャンネルであるかを判定するものである。
【００４１】
第１強度取得部１１３は、チャンネル設定部１１１に対して、アンテナ判定部１１５によってアンテナの種類（＝スマートアンテナであるか否か、及び、２指向性アンテナであるか否か）が判定されるまで、複数のチャンネルを順次設定させると共に、チャンネル毎に、アンテナ部１５１に接続されたアンテナを予め設定された複数の方向に設定し、受信部１５を介して、設定された方向毎の受信強度を取得するものである。ここでは、受信強度として、ビットエラーレート（ＢＥＲ：Ｂｉｔ  Ｅｒｒｏｒ  Ｒａｔｅ）を用いるものとする。すなわち、ＢＥＲの値が大きい程、受信強度が弱いことを示している。
【００４２】
図４は、スマートアンテナの設定方向、及び、２指向性アンテナ、１指向性アンテナの指向性を示す図である。（ａ）は、第１強度取得部１１３及び第２強度取得部１１６によって設定されるアンテナの方向を示す図である。（ａ）に示すように、アンテナ部１５１に接続されたアンテナは、互いに２２．５°の各をなす１６個の方向Ｄ０〜Ｄ１５のいずれかの方向に設定される。
【００４３】
図４（ｂ）は、２指向性アンテナの指向性を示す図である。２指向性アンテナは、互いになす角が略１８０°である２方向（ここでは、方向Ｄ０と方向Ｄ８との２方向）に指向性を有するアンテナである。図４（ｃ）は、１指向性アンテナの指向性を示す図である。１指向性アンテナは、１方向（ここでは、方向Ｄ０の方向）にのみ指向性を有するアンテナである。
【００４４】
再び、図２を用いて、ＭＰＵ１１の機能構成について説明する。判定値決定部１１４（第１判定手段の一部、第２判定手段の一部に相当する）は、第１強度取得部１１３によって取得された方向毎の受信強度に基づいて、アンテナ部１５１に接続されたアンテナがスマートアンテナであるか否かを判定すると共に、アンテナ部１５１に接続されたアンテナが、２指向性アンテナであるか又は１指向性アンテナであるかを判定するための判定値Ｖ１〜Ｖ３、Ｕ１〜Ｕ３（図３（ｂ）参照）を求め、判定値記憶部１２２に格納するものである。
【００４５】
また、判定値決定部１１４は、チャンネル判定部１１２によってＵＨＦ帯に属すると判定されたチャンネルとＶＨＦ帯に属するチャンネルとに区分して、判定値Ｖ１〜Ｖ３、Ｕ１〜Ｕ３を求めるものである。更に、判定値決定部１１４は、最大の受信強度（ここでは、最小のＢＥＲ）と、最大の受信強度が取得された方向と９０°をなす方向の受信強度と、最大の受信強度が取得された方向と１８０°をなす方向の受信強度と、判定値Ｖ１〜Ｖ３、Ｕ１〜Ｕ３を求めるものである。
【００４６】
具体的には、判定値決定部１１４は、以下の方法で判定値Ｖ１〜Ｖ３、Ｕ１〜Ｕ３を求めるものである（図９、図１０に示すフローチャート参照）。ここでは、便宜上、チャンネル設定部１１１によって設定されるチャンネルがＶＨＦ帯に属するチャンネルである場合について説明する。まず、判定値Ｖ１〜Ｖ３の初期値として「０」を設定する。そして、最小のＢＥＲの値をパラメータＥＭとし、最小のＢＥＲに対応する方向から９０°右方向のＢＥＲの値をパラメータＥＲとし、最小のＢＥＲに対応する方向と反対方向のＢＥＲの値をパラメータＥＩとする。次いで、パラメータＥＲとパラメータＥＭとの差が予め設定された所定の閾値ＴＨ１１、ＴＨ１２以下である場合に、予め設定された正の加算値Ａ１１、Ａ１２を、判定値Ｖ１に加算する。
【００４７】
そして、パラメータＥＩとパラメータＥＭとの差が予め設定された所定の閾値ＴＨ２１、ＴＨ２２以下である場合に、予め設定された正の加算値Ａ２１、Ａ２２を、判定値Ｖ２に加算する。更に、パラメータＥＩとパラメータＥＭとの差が予め設定された所定の閾値ＴＨ３１、ＴＨ３２以上である場合に、予め設定された正の加算値Ａ３１、Ａ３２を、判定値Ｖ３に加算する。
【００４８】
すなわち、判定値決定部１１４は、最小のＢＥＲの値と、最小のＢＥＲに対応する方向から９０°右方向のＢＥＲの値との差が小さい場合に、スマートアンテナではないアンテナであることを示す判定値Ｖ１を加算するものである。また、判定値決定部１１４は、最小のＢＥＲの値と、最小のＢＥＲに対応する方向と反対方向のＢＥＲの値との差が小さい場合に、２指向性アンテナであることを示す判定値Ｖ２を加算するものである。更に、判定値決定部１１４は、最小のＢＥＲの値と、最小のＢＥＲに対応する方向と反対方向のＢＥＲの値との差が大きい場合に、１指向性アンテナであることを示す判定値Ｖ３を加算するものである。
【００４９】
アンテナ判定部１１５（第１判定手段の一部、第２判定手段の一部に相当する）は、判定値記憶部１２２に格納された判定値Ｖ１〜Ｖ３、Ｕ１〜Ｕ３に基づいて、アンテナ部１５１に接続されたアンテナがスマートアンテナであるか否かを判定すると共に、アンテナ部１５１に接続されたアンテナが、２指向性アンテナであるか又は１指向性アンテナであるかを判定するものである。
【００５０】
また、アンテナ判定部１１５は、チャンネル判定部１１２によってＵＨＦ帯に属すると判定されたチャンネルとＶＨＦ帯に属するチャンネルとに区分して、スマートアンテナであるか否か、及び、２指向性アンテナであるか又は１指向性アンテナであるかを判定するものである。
【００５１】
具体的には、アンテナ判定部１１５は、判定値Ｖ１から判定値Ｖ２、Ｖ３を引いた差が共に予め設定された所定の閾値ＴＨＡよりも大きい場合に、スマートアンテナではないと判定し、判定値Ｖ２から判定値Ｖ１、Ｖ３を引いた差が共に予め設定された所定の閾値ＴＨＡよりも大きい場合に、スマートアンテナであって且つ２指向性アンテナであると判定し、判定値Ｖ３から判定値Ｖ１、Ｖ２を引いた差が共に予め設定された所定の閾値ＴＨＡよりも大きい場合に、スマートアンテナであって且つ１指向性アンテナであると判定するものである（図６、図７に示すフローチャート参照）。
【００５２】
第２強度取得部１１６（強度取得手段の一部に相当する）は、チャンネル設定部１１１に対して、複数のチャンネルの内１のチャンネルを設定させると共に、アンテナ判定部１１５によってアンテナ部１５１に接続されたアンテナがスマートアンテナであると判定された場合に限って、アンテナ部１５１に接続されたアンテナを予め設定された複数の方向に設定し、設定された方向毎に受信強度を取得するものである。すなわち、第２強度取得部１１６は、アンテナ判定部１１５によってアンテナ部１５１に接続されたアンテナがスマートアンテナではないと判定された場合には、１回だけ受信強度を取得するものである。
【００５３】
また、第２強度取得部１１６は、アンテナ判定部１１５によって２指向性アンテナであると判定された場合に、予め設定された１の方向と、該１の方向とのなす角が１８０°の方向と、の間において、互いになす角が２２．５°である８個の方向（方向Ｄ０〜Ｄ７）に接続されたアンテナを設定して、設定された方向毎に受信強度を取得するものである。更に、第２強度取得部１１６は、アンテナ判定部１１５によって１指向性アンテナであると判定された場合に、予め設定された１の方向と、該１の方向とのなす角が３６０°の方向と、の間において、互いになす角が２２．５°である１６個の方向（方向Ｄ０〜Ｄ１５）に、接続されたアンテナを設定して、設定された方向毎に受信強度を取得するものである。
【００５４】
方向設定部１１７（方向設定手段に相当する）は、アンテナ部１５１に接続されたアンテナの最適受信方向を、第１強度取得部１１３及び第２強度取得部１１６によって取得された受信強度の内、最大の受信強度の方向に設定し、設定された方向を設定方向記憶部１２３に格納するものである。ただし、方向設定部１１７は、最大の受信強度が予め設定された所定の閾値以下である場合には、受信不可である旨の情報を設定方向記憶部１２３に格納するものである。
【００５５】
図５は、デジタル放送受信機１（主にＭＰＵ１１）の動作の一例を示すフローチャートである。まず、チャンネル設定部１１１によって、チャンネル番号ＣＨが「２」に設定される（Ｓ１０１）。そして、チャンネル判定部１１２によって、ステップＳ１０１において設定されたチャンネル番号ＣＨに対応するチャンネルがＶＨＦ帯に属するチャンネルであるか否かの判定が行われる（Ｓ１０３）。
【００５６】
ＶＨＦ帯に属するチャンネルであると判定された場合（Ｓ１０３でＹＥＳ）には、アンテナ判定部１１５によって、アンテナ部１５１に接続されたアンテナの種類（＝スマートアンテナであるか否か、及び、２指向性アンテナであるか否か）を判定する処理である種別判定処理（ＶＨＦ）が実行される（Ｓ１０５）。ＶＨＦ帯に属するチャンネルではない（＝ＵＨＦ帯に属するチャンネルである）と判定された場合（Ｓ１０３でＮＯ）には、アンテナ判定部１１５によって、アンテナ部１５１に接続されたアンテナの種類（＝スマートアンテナであるか否か、及び、２指向性アンテナであるか否か）を判定する処理である種別判定処理（ＵＨＦ）が実行される（Ｓ１０７）。
【００５７】
ステップＳ１０５の処理が終了した場合、又は、ステップＳ１０７の処理が終了した場合には、第１強度取得部１１３によって、アンテナ部１５１に接続されたアンテナの種類の判定が完了しているか否かの判定が行われる（Ｓ１０９）。アンテナの種類の判定が完了していないと判定された場合（Ｓ１０９でＮＯ）には、第１強度取得部１１３、判定値決定部１１４によって、判定値を更新すると共に最適受信方向を設定する処理である方向設定処理Ａが実行され（Ｓ１１１）、処理がステップＳ１２３に進められる。
【００５８】
アンテナの種類の判定が完了していると判定された場合（Ｓ１０９でＹＥＳ）には、第２強度取得部１１６によって、ステップＳ１０５又はステップＳ１０７においてスマートアンテナであると判定されたか否かの判定が行われる（Ｓ１０９）。スマートアンテナではないと判定された場合（Ｓ１０９でＮＯ）には、第２強度取得部１１６及び方向設定部１１７によって、受信可否を判定する処理である受信可否判定処理が行われ（Ｓ１１５）、処理がステップＳ１２３に進められる。
【００５９】
スマートアンテナであると判定された場合（Ｓ１０９でＹＥＳ）には、第２強度取得部１１６によって、ステップＳ１０５又はステップＳ１０７において２指向性アンテナであると判定されたか否かの判定が行われる（Ｓ１１７）。２指向性アンテナであると判定された場合（Ｓ１１７でＮＯ）には、第２強度取得部１１６及び方向設定部１１７によって、２指向性アンテナの最適受信方向を設定する処理である方向設定処理Ｂが行われ（Ｓ１１９）、処理がステップＳ１２３に進められる。２指向性アンテナではない（＝１指向性アンテナである）と判定された場合（Ｓ１１７でＮＯ）には、第２強度取得部１１６及び方向設定部１１７によって、１指向性アンテナの最適受信方向を設定する処理である方向設定処理Ｃが行われ（Ｓ１２１）、処理がステップＳ１２３に進められる。
【００６０】
ステップＳ１１１、ステップＳ１１５、ステップＳ１１９、又は、ステップＳ１２１の処理が終了した場合には、チャンネル設定部１１１によって、チャンネル番号ＣＨが１だけインクリメントされ（Ｓ１２３）、チャンネル番号ＣＨが「７０」以上であるか否かの判定が行われる（Ｓ１２５）。チャンネル番号ＣＨが「７０」以上ではない（＝「６９」以下である）と判定された場合（Ｓ１２５でＮＯ）には、処理がステップＳ１０３に戻され、ステップＳ１０３以降の処理が繰り返し実行される。チャンネル番号ＣＨが「７０」以上であると判定された場合（Ｓ１２５でＹＥＳ）には、処理が終了される。
【００６１】
図６、図７は、図５に示すフローチャートのステップＳ１０５において実行される種類判別処理の一例を示す詳細フローチャートである。ここでは、便宜上、ステップＳ１０５において実行される種類判別処理（ＶＨＦ）について説明するが、ステップＳ１０７において実行される種類判別処理（ＵＨＦ）のフローチャートは、種類判別処理（ＶＨＦ）のフローチャートにおける判定値Ｖ１〜Ｖ３をそれぞれ判定値Ｕ１〜Ｕ３に置き換えたものである。なお、以下の処理は全てアンテナ判定部１１５によって行われる。
【００６２】
まず、判定値記憶部１２２から判定値Ｖ１〜Ｖ３が読み出される（Ｓ２０１）。そして、判定値Ｖ１〜Ｖ３の内、判定値Ｖ１が最大であるか否かの判定が行われる（Ｓ２０３）。判定値Ｖ１が最大であると判定された場合（Ｓ２０３でＹＥＳ）には、処理が図７に示すステップＳ２１５に進められる。判定値Ｖ１が最大ではないと判定された場合（Ｓ２０３でＮＯ）には、判定値Ｖ１〜Ｖ３の内、判定値Ｖ２が最大であるか否かの判定が行われる（Ｓ２０５）。判定値Ｖ２が最大であると判定された場合（Ｓ２０５でＹＥＳ）には、処理が図７に示すステップＳ２２３に進められる。
【００６３】
判定値Ｖ２が最大ではないと判定された場合（Ｓ２０５でＮＯ）には、判定値Ｖ３から判定値Ｖ１を引いた差が予め設定された閾値ＴＨＡより大きいか否かの判定が行われる（Ｓ２０７）。閾値ＴＨＡ以下であると判定された場合（Ｓ２０７でＮＯ）には、アンテナの種類の判定は不可であると判定され（Ｓ２１３）、処理がリターンされる。閾値ＴＨＡより大きいと判定された場合（Ｓ２０７でＹＥＳ）には、判定値Ｖ３から判定値Ｖ２を引いた差が予め設定された閾値ＴＨＡより大きいか否かの判定が行われる（Ｓ２０９）。閾値ＴＨＡ以下であると判定された場合（Ｓ２０９でＮＯ）には、アンテナの種類の判定は不可であると判定され（Ｓ２１３）、処理がリターンされる。閾値ＴＨＡより大きいと判定された場合（Ｓ２０９でＹＥＳ）には、アンテナはスマートアンテナであって、且つ、１指向性アンテナであると判定され（Ｓ２１１）、処理がリターンされる。
【００６４】
ステップＳ２０３でＹＥＳの場合には、図７に示すように、判定値Ｖ１から判定値Ｖ２を引いた差が予め設定された閾値ＴＨＡより大きいか否かの判定が行われる（Ｓ２１５）。閾値ＴＨＡ以下であると判定された場合（Ｓ２１５でＮＯ）には、アンテナの種類の判定は不可であると判定され（Ｓ２２１）、処理がリターンされる。閾値ＴＨＡより大きいと判定された場合（Ｓ２１５でＹＥＳ）には、判定値Ｖ１から判定値Ｖ３を引いた差が予め設定された閾値ＴＨＡより大きいか否かの判定が行われる（Ｓ２１７）。閾値ＴＨＡ以下であると判定された場合（Ｓ２１７でＮＯ）には、アンテナの種類の判定は不可であると判定され（Ｓ２２１）、処理がリターンされる。閾値ＴＨＡより大きいと判定された場合（Ｓ２１７でＹＥＳ）には、アンテナはスマートアンテナではないと判定され（Ｓ２１９）、処理がリターンされる。
【００６５】
ステップＳ２０５でＹＥＳの場合には、図７に示すように、判定値Ｖ２から判定値Ｖ１を引いた差が予め設定された閾値ＴＨＡより大きいか否かの判定が行われる（Ｓ２２３）。閾値ＴＨＡ以下であると判定された場合（Ｓ２２３でＮＯ）には、アンテナの種類の判定は不可であると判定され（Ｓ２２９）、処理がリターンされる。閾値ＴＨＡより大きいと判定された場合（Ｓ２２３でＹＥＳ）には、判定値Ｖ２から判定値Ｖ３を引いた差が予め設定された閾値ＴＨＡより大きいか否かの判定が行われる（Ｓ２２５）。閾値ＴＨＡ以下であると判定された場合（Ｓ２２５でＮＯ）には、アンテナの種類の判定は不可であると判定され（Ｓ２２９）、処理がリターンされる。閾値ＴＨＡより大きいと判定された場合（Ｓ２２５でＹＥＳ）には、アンテナはスマートアンテナであって、且つ、２指向性アンテナであると判定され（Ｓ２２７）、処理がリターンされる。
【００６６】
図８は、図５に示すフローチャートのステップＳ１１１において実行される方向設定処理Ａの一例を示す詳細フローチャートである。まず、第１強度取得部１１３によって、アンテナの方向をカウントするカウンタＮが初期値「０」に設定される（Ｓ３０１）。そして、第１強度取得部１１３によって、アンテナ部１５１に接続されたアンテナの方向が方向ＤＮ（ここで、Ｎは０〜１５のいずれかの値＝カウンタＮの値）に設定される（Ｓ３０３）。次いで、第１強度取得部１１３によって、受信部１５を介して放送信号が受信される（Ｓ３０５）。次に、第１強度取得部１１３によって、ビットエラーレートＢＥＲが取得される（Ｓ３０７）。そして、第１強度取得部１１３によって、カウンタＮの値が１だけインクリメントされ（Ｓ３０９）、カウンタＮの値が１６以上であるか否かの判定が行われる（Ｓ３１１）。１６以上ではない（＝１５以下である）と判定された場合（Ｓ３１１でＮＯ）には、処理がステップＳ３０３に戻され、ステップＳ３０３以降の処理が繰り返し実行される。
【００６７】
１６以上であると判定された場合（Ｓ３１１でＹＥＳ）には、方向設定部１１７によって、ステップＳ３０７において取得された１６個のビットエラーレートＢＥＲの内、最小のビットエラーレートＢＥＲが予め設定された所定の閾値ＴＨＢ未満であるか否かの判定が行われる（Ｓ３１３）。閾値ＴＨＢ以上であると判定された場合（Ｓ３１３でＮＯ）には、方向設定部１１７によって、受信が不可能であると判定され、受信が不可能である旨の情報が設定方向記憶部１２３に格納され（Ｓ３２３）、処理がリターンされる。閾値ＴＨＢ以下であると判定された場合（Ｓ３１３でＹＥＳ）には、方向設定部１１７によって、受信が可能である旨の情報及び最小のビットエラーレートＢＥＲに対応する方向ＤＭ（Ｍ＝０〜１５のいずれかの値）が設定方向記憶部１２３に格納される（Ｓ３１５）。
【００６８】
そして、チャンネル判定部１１２によって、図５に示すステップＳ１０１又はステップＳ１２３において設定されたチャンネル番号ＣＨのチャンネルがＶＨＦ帯に属するチャンネルであるか否かが判定される（Ｓ３１７）。ＶＨＦ帯に属するチャンネルであると判定された場合（Ｓ３１７でＹＥＳ）には、判定値決定部１１４によって、判定値記憶部１２２に格納された判定値Ｖ１〜Ｖ３を更新する処理である判定値更新処理（ＶＨＦ）が実行され（Ｓ３１９）、処理がリターンされる。ＶＨＦ帯に属するチャンネルではない（＝ＵＨＦ帯に属するチャンネルである）と判定された場合（Ｓ３１７でＮＯ）には、判定値決定部１１４によって、判定値記憶部１２２に格納された判定値Ｕ１〜Ｕ３を更新する処理である判定値更新処理（ＵＨＦ）が実行され（Ｓ３２１）、処理がリターンされる。
【００６９】
図９、図１０は、図８に示すフローチャートのステップＳ３１９において実行される判定値更新処理の一例を示す詳細フローチャートである。ここでは、便宜上、ステップＳ３１９において実行される判定値更新処理（ＶＨＦ）について説明するが、ステップＳ３２１において実行される判定値更新処理（ＵＨＦ）のフローチャートは、判定値更新処理（ＶＨＦ）のフローチャートにおける判定値Ｖ１〜Ｖ３をそれぞれ判定値Ｕ１〜Ｕ３に置き換えたものである。なお、以下の処理は全て判定値決定部１１４によって行われる。
【００７０】
まず、最小のビットエラーレートＢＥＲの値がパラメータＥＭに設定される（Ｓ４０１）。そして、最小のビットエラーレートＢＥＲに対応する方向ＤＭから９０°右方向のビットエラーレートＢＥＲの値がパラメータＥＲに設定される（Ｓ４０３）。次いで、最小のビットエラーレートＢＥＲに対応する方向ＤＭと反対方向のビットエラーレートＢＥＲの値がパラメータＥＩに設定される（Ｓ４０５）。次に、パラメータＥＩからパラメータＥＲを引いた差が、予め設定された正の閾値ＴＨ１１以下であるか否かの判定が行われる（Ｓ４０７）。閾値ＴＨ１１以下であると判定された場合（Ｓ４０７でＹＥＳ）には、判定値Ｖ１に予め設定された正の加算値Ａ１１（例えば、２）が加算され（Ｓ４０９）、処理がリターンされる。
【００７１】
閾値ＴＨ１１以下ではないと判定された場合（Ｓ４０７でＮＯ）には、パラメータＥＩからパラメータＥＲを引いた差が、予め設定された閾値ＴＨ１１より大きい正の閾値ＴＨ１２以下であるか否かの判定が行われる（Ｓ４１１）。閾値ＴＨ１２以下であると判定された場合（Ｓ４１１でＹＥＳ）には、判定値Ｖ１に予め設定された加算値Ａ１１より小さい正の加算値Ａ１２（例えば、１）が加算され（Ｓ４１３）、処理がリターンされる。
【００７２】
閾値ＴＨ１２以下ではないと判定された場合（Ｓ４１１でＮＯ）には、図１０に示すように、パラメータＥＩからパラメータＥＭを引いた差が、予め設定された正の閾値ＴＨ２１以下であるか否かの判定が行われる（Ｓ４１５）。閾値ＴＨ２１以下であると判定された場合（Ｓ４１５でＹＥＳ）には、判定値Ｖ２に予め設定された正の加算値Ａ２１（例えば、２）が加算され（Ｓ４１７）、処理がリターンされる。
【００７３】
閾値ＴＨ２１以下ではないと判定された場合（Ｓ４１５でＮＯ）には、パラメータＥＩからパラメータＥＭを引いた差が、予め設定された閾値ＴＨ２１より大きい正の閾値ＴＨ２２以下であるか否かの判定が行われる（Ｓ４１９）。閾値ＴＨ２２以下であると判定された場合（Ｓ４１９でＹＥＳ）には、判定値Ｖ２に予め設定された加算値Ａ２１より小さい正の加算値Ａ２２（例えば、１）が加算され（Ｓ４２１）、処理がリターンされる。
【００７４】
閾値ＴＨ２２以下ではないと判定された場合（Ｓ４２１でＮＯ）には、パラメータＥＩからパラメータＥＭを引いた差が、予め設定された正の閾値ＴＨ３１以上であるか否かの判定が行われる（Ｓ４２３）。閾値ＴＨ３１以上であると判定された場合（Ｓ４２３でＹＥＳ）には、判定値Ｖ３に予め設定された正の加算値Ａ３１（例えば、２）が加算され（Ｓ４２５）、処理がリターンされる。
【００７５】
閾値ＴＨ３１以上ではないと判定された場合（Ｓ４２３でＮＯ）には、パラメータＥＩからパラメータＥＭを引いた差が、予め設定された閾値ＴＨ３１より小さい正の閾値ＴＨ３２以下であるか否かの判定が行われる（Ｓ４２７）。閾値ＴＨ３２以下であると判定された場合（Ｓ４２７でＹＥＳ）には、判定値Ｖ３に予め設定された加算値Ａ３１より小さい正の加算値Ａ３２（例えば、１）が加算され（Ｓ４２９）、処理がリターンされる。
【００７６】
図１１は、図５に示すフローチャートのステップＳ１１５において実行される受信可否判定処理の一例を示す詳細フローチャートである。まず、第２強度取得部１１６によって、受信部１５を介して放送信号が受信される（Ｓ５０１）。そして、第２強度取得部１１６によって、ビットエラーレートＢＥＲが取得される（Ｓ５０３）。次いで、方向設定部１１７によって、ステップＳ５０３において取得されたビットエラーレートＢＥＲが予め設定された所定の閾値ＴＨＢ未満であるか否かの判定が行われる（Ｓ５０５）。
【００７７】
閾値ＴＨＢ未満であると判定された場合（Ｓ５０５でＹＥＳ）には、方向設定部１１７によって、受信が可能であると判定され、受信が可能である旨の情報が設定方向記憶部１２３に格納され（Ｓ５０７）、処理がリターンされる。閾値ＴＨＢ以上であると判定された場合（Ｓ５０５でＮＯ）には、方向設定部１１７によって、受信が不可能であると判定され、受信が不可能である旨の情報が設定方向記憶部１２３に格納され（Ｓ５０９）、処理がリターンされる。
【００７８】
図１２は、図５に示すフローチャートのステップＳ１１９において実行される方向設定処理Ｂの一例を示す詳細フローチャートである。まず、第２強度取得部１１６によって、アンテナの方向をカウントするカウンタＮが初期値「０」に設定される（Ｓ６０１）。そして、第２強度取得部１１６によって、アンテナ部１５１に接続されたアンテナの方向が方向ＤＮ（ここで、Ｎは０〜７のいずれかの値＝カウンタＮの値）に設定される（Ｓ６０３）。次いで、第２強度取得部１１６によって、受信部１５を介して放送信号が受信される（Ｓ６０５）。次に、第２強度取得部１１６によって、ビットエラーレートＢＥＲが取得される（Ｓ６０７）。そして、第２強度取得部１１６によって、カウンタＮの値が１だけインクリメントされ（Ｓ６０９）、カウンタＮの値が８以上であるか否かの判定が行われる（Ｓ６１１）。８以上ではない（＝７以下である）と判定された場合（Ｓ６１１でＮＯ）には、処理がステップＳ６０３に戻され、ステップＳ６０３以降の処理が繰り返し実行される。
【００７９】
８以上であると判定された場合（Ｓ６１１でＹＥＳ）には、方向設定部１１７によって、ステップＳ６０７において取得された８個のビットエラーレートＢＥＲの内、最小のビットエラーレートＢＥＲが予め設定された所定の閾値ＴＨＢ未満であるか否かの判定が行われる（Ｓ６１３）。閾値ＴＨＢ以下であると判定された場合（Ｓ６１３でＹＥＳ）には、方向設定部１１７によって、受信が可能である旨の情報及び最小のビットエラーレートＢＥＲに対応する方向ＤＭ（Ｍ＝０〜７のいずれかの値）が設定方向記憶部１２３に格納され（Ｓ６１５）、処理がリターンされる。閾値ＴＨＢ以上であると判定された場合（Ｓ６１３でＮＯ）には、方向設定部１１７によって、受信が不可能であると判定され、受信が不可能である旨の情報が設定方向記憶部１２３に格納され（Ｓ６１７）、処理がリターンされる。
【００８０】
図１３は、図５に示すフローチャートのステップＳ１２１において実行される方向設定処理Ｃの一例を示す詳細フローチャートである。まず、第２強度取得部１１６によって、アンテナの方向をカウントするカウンタＮが初期値「０」に設定される（Ｓ７０１）。そして、第２強度取得部１１６によって、アンテナ部１５１に接続されたアンテナの方向が方向ＤＮ（ここで、Ｎは０〜１５のいずれかの値＝カウンタＮの値）に設定される（Ｓ７０３）。次いで、第２強度取得部１１６によって、受信部１５を介して放送信号が受信される（Ｓ７０５）。次に、第２強度取得部１１６によって、ビットエラーレートＢＥＲが取得される（Ｓ７０７）。そして、第２強度取得部１１６によって、カウンタＮの値が１だけインクリメントされ（Ｓ７０９）、カウンタＮの値が１６以上であるか否かの判定が行われる（Ｓ７１１）。１６以上ではない（＝１５以下である）と判定された場合（Ｓ７１１でＮＯ）には、処理がステップＳ７０３に戻され、ステップＳ７０３以降の処理が繰り返し実行される。
【００８１】
１６以上であると判定された場合（Ｓ７１１でＹＥＳ）には、方向設定部１１７によって、ステップＳ７０７において取得された１６個のビットエラーレートＢＥＲの内、最小のビットエラーレートＢＥＲが予め設定された所定の閾値ＴＨＢ未満であるか否かの判定が行われる（Ｓ７１３）。閾値ＴＨＢ以下であると判定された場合（Ｓ７１３でＹＥＳ）には、方向設定部１１７によって、受信が可能である旨の情報及び最小のビットエラーレートＢＥＲに対応する方向ＤＭ（Ｍ＝０〜１５のいずれかの値）が設定方向記憶部１２３に格納され（Ｓ７１５）、処理がリターンされる。閾値ＴＨＢ以上であると判定された場合（Ｓ７１３でＮＯ）には、方向設定部１１７によって、受信が不可能であると判定され、受信が不可能である旨の情報が設定方向記憶部１２３に格納され（Ｓ７１７）、処理がリターンされる。
【００８２】
このようにして、アンテナ部１５１に接続されたアンテナがスマートアンテナであるか否かが判定され、スマートアンテナであると判定された場合に、接続されたアンテナが、互いになす角が略１８０°である２方向に指向性を有する２指向性アンテナであるか、１方向にのみ指向性を有する１指向性アンテナであるかがを判定される。そして、スマートアンテナであると判定された場合に限って、接続されたアンテナが予め設定された複数の方向に設定され、設定された方向毎に受信強度が取得される。また、２指向性アンテナであると判定された場合に、予め設定された１の方向と、該１の方向とのなす角が１８０°の方向と、の間における予め設定された複数の方向（ここでは、方向Ｄ０〜Ｄ７の８方向）に、接続されたアンテナが設定され、設定された方向毎に受信強度が取得され（図１２参照）、１指向性アンテナであると判定された場合に、予め設定された１の方向と、該１の方向とのなす角が３６０°の方向と、の間における予め設定された複数の方向（ここでは、方向Ｄ０〜Ｄ１５の１５方向）に、接続されたアンテナが設定されて、設定された方向毎に受信強度が取得される（図１３参照）。更に、接続されたアンテナの方向が、取得された受信強度の内、最大の受信強度の方向に設定されるため、最適受信方向を効率的に設定することができる。
【００８３】
すなわち、アンテナの種類（スマートアンテナであるか否か、及び、２指向性アンテナであるか否か）に応じて、適正な個数の方向における受信強度の取得が行われるため、最適受信方向を効率的に設定することができるのである。つまり、スマートアンテナではないと判定された場合には、複数の方向の受信強度が取得されることがないので、最適受信方向を効率的に設定することができるのである（図１１参照）。更に、２指向性アンテナであると判定された場合には、予め設定された１の方向と、該１の方向とのなす角が１８０°の方向と、の間における予め設定された複数の方向（ここでは、方向Ｄ０〜Ｄ７の８方向：図４（ａ）参照）に、接続されたアンテナが設定され、設定された方向毎に受信強度が取得され（図１２参照）、取得された受信強度の内、最大の受信強度の方向に接続されたアンテナの方向が設定されるため、１指向性アンテナである場合（図１３参照）と比較して受信強度の取得に要する時間が約半分に削減することができるのである。
【００８４】
また、２指向性アンテナであると判定された場合に、予め設定された１の方向と、該１の方向とのなす角が１８０°の方向と、の間において、互いになす角が２２．５°である８個の方向（＝方向Ｄ０〜Ｄ７の８方向：図４（ａ）参照）に接続されたアンテナが設定され（図１２参照）、１指向性アンテナであると判定された場合に、予め設定された１の方向と、該１の方向とのなす角が３６０°の方向と、の間において、互いになす角が２２．５°である１６個の方向（＝方向Ｄ０〜Ｄ１５の１６方向：図４（ａ）参照）に、接続されたアンテナが設定される（図１３参照）ため、最適受信方向を更に効率的に設定することができる。
【００８５】
すなわち、互いになす角が一定（ここでは、２２．５°）の８個の方向（又は１６個の方向）に、接続されたアンテナが設定されるため、アンテナの指向性の拡がり角に適合した方向の受信強度が取得される（図４参照）ため、最適受信方向を更に効率的に設定することができるのである。
【００８６】
更に、アンテナ部１５１に接続されたアンテナが予め設定された複数（ここでは、１６個：図４（ａ）参照）の方向に設定され、設定された方向毎の受信強度が取得される。そして、取得された方向毎の受信強度に基づいて、アンテナ部１５１に接続されたアンテナがスマートアンテナであるか否かが判定され、接続されたアンテナがスマートアンテナであると判定された場合に、取得された方向毎の受信強度に基づいて、接続されたアンテナが、互いになす角が略１８０°である２方向に指向性を有する２指向性アンテナ（図４（ｂ）参照）であるか、１方向にのみ指向性を有する１指向性アンテナ（図４（ｃ）参照）であるかが判定されるため、接続されたアンテナの種類（＝スマートアンテナであるか否か、及び、２指向性アンテナであるか否か）を判定することができる。
【００８７】
すなわち、互いになす角が略１８０°である２方向に指向性を有する２指向性アンテナであるか、１方向にのみ指向性を有する１指向性アンテナであるかが判定されるため、最適受信方向を効率的に求めることが可能となるのである。つまり、２指向性アンテナであると判定された場合には、図４（ａ）に示す方向Ｄ０〜Ｄ７の８方向の受信強度の中から最適受信方向を求めることができるのである（図１２参照）。
【００８８】
加えて、予め設定された複数のチャンネル（ここでは、チャンネル番号が「２」〜「６９」の６８個のチャンネル）の内、接続されたアンテナを介して受信する１のチャンネルが順次設定され、各チャンネルにおける受信強度が取得され、設定された１のチャンネルがＵＨＦ帯に属するチャンネルであるか、ＶＨＦ帯に属するチャンネルであるかが判定される。そして、ＵＨＦ帯に属すると判定されたチャンネルとＶＨＦ帯に属するチャンネルとに区分して、接続されたアンテナがスマートアンテナであるか否か、及び、２指向性アンテナであるか否か、が判定されるため、接続されたアンテナの種類（＝スマートアンテナであるか否か、及び、２指向性アンテナであるか否か）を更に正確に判定することができる。
【００８９】
すなわち、接続されたアンテナがスマートアンテナであるか否か、及び、２指向性アンテナであるか否か、の少なくとも一方が、ＵＨＦ帯に属すると判定されたチャンネルとＶＨＦ帯に属するチャンネルとに区分して判定されるため、ＵＨＦ帯に属すると判定されたチャンネルとＶＨＦ帯に属するチャンネルとで判定結果が異なる場合があるので、接続されたアンテナの種類（＝スマートアンテナであるか否か、及び、２指向性アンテナであるか否か、の少なくとも一方）を更に正確に判定することができるのである。
【００９０】
また、接続されたアンテナが、互いに９０°をなす４の方向（ここでは、図４（ａ）に示す方向Ｄ０、Ｄ４、Ｄ８、Ｄ１２）に設定され、設定された方向毎の受信強度が取得される。そして、取得された方向毎の受信強度の内、最大の受信強度（ここでは、パラメータＥＭ）と、最大の受信強度が取得された方向（例えば、方向Ｄ０）と９０°をなす方向（例えば、方向Ｄ４）の受信強度（ここでは、パラメータＥＲ）と、最大の受信強度が取得された方向と１８０°をなす方向（例えば、方向Ｄ８）の受信強度（ここでは、パラメータＥＩ）と、に基づいて、接続されたアンテナがスマートアンテナであるか否か、及び、２指向性アンテナであるか否か、が判定される（図９、図１０参照）ため、接続されたアンテナの種類（＝スマートアンテナであるか否か、及び、２指向性アンテナであるか否か、の少なくとも一方）を簡便に、且つ、正確に判定することができる。
【００９１】
すなわち、最大の受信強度（ここでは、パラメータＥＭ）と、最大の受信強度が取得された方向と９０°をなす方向の受信強度（ここでは、パラメータＥＲ）と、最大の受信強度が取得された方向と１８０°をなす方向の受信強度（ここでは、パラメータＥＩ）と、に基づいて、接続されたアンテナがスマートアンテナであるか否か、及び、２指向性アンテナであるか否か、が判定されるため、例えば、最大の受信強度（ここでは、パラメータＥＭ）が、最大の受信強度が取得された方向と９０°をなす方向の受信強度（ここでは、パラメータＥＲ）と略同一値である場合には、スマートアンテナではないと判定され、最大の受信強度（ここでは、パラメータＥＭ）が、最大の受信強度が取得された方向と１８０°をなす方向の受信強度（ここでは、パラメータＥＩ）と略同一値である場合には、２指向性アンテナである判定されるので、接続されたアンテナの種類（＝スマートアンテナであるか否か、及び、２指向性アンテナであるか否か）を簡便に、且つ、正確に判定することができるのである。
【００９２】
更に、図９、図１０に示すようにチャンネル毎の受信状態（パラメータＥＭ、ＥＲ、ＥＩの値）に応じて、判定値Ｖ１〜Ｖ３、Ｕ１〜Ｕ３が更新され、図６、図７に示すように、判定値Ｖ１〜Ｖ３、Ｕ１〜Ｕ３に基づいて接続されたアンテナがスマートアンテナであるか否か、及び、２指向性アンテナであるか否か、が判定されるため、接続されたアンテナの種類（＝スマートアンテナであるか否か、及び、２指向性アンテナであるか否か）を簡便に、且つ、正確に判定することができる。
【００９３】
なお、本発明は、以下の形態にも適用可能である。
（Ａ）本実施形態では、放送受信装置がデジタル放送受信機１である場合について説明したが、アナログ放送を受信する放送受信機である形態でも良いし、アナログ放送及びデジタル放送を受信する放送受信機である形態でも良い。なお、放送受信装置がアナログ放送を受信する場合には、受信強度は、ビットエラーレートＢＥＲに換えて、Ｓ／Ｎ比を用いて評価すれば良い。
【００９４】
（Ｂ）本実施形態では、モニタが、デジタル放送受信機１に配設されたディスプレイ１８３である場合について説明したが、モニタが、デジタル放送受信機１とは別の装置として構成されている形態でも良い。例えば、モニタが、パーソナルコンピュータ等に配設されたＬＣＤ（Ｌｉｑｕｉｄ  Ｃｒｙｓｔａｌ  Ｄｉｓｐｌａｙ）等からなるモニタである形態でも良い。
【００９５】
（Ｃ）本実施形態では、第２強度取得部１１６が、２指向性アンテナであると判定された場合に、８個の方向（方向Ｄ０〜Ｄ７）に接続されたアンテナを設定する場合について説明したが、第２強度取得部１１６が、予め設定された１の方向と、該１の方向とのなす角が１８０°の方向と、の間において予め設定された複数の方向にアンテナを設定する形態であれば良い。例えば、第２強度取得部１１６が、互いになす角が１０°となる１８個の方向にアンテナを設定する形態でも良い。
【００９６】
また、同様に、第２強度取得部１１６が、１指向性アンテナであると判定された場合に、１６個の方向（方向Ｄ０〜Ｄ１５）に接続されたアンテナを設定する場合について説明したが、第２強度取得部１１６が、予め設定された１の方向と、該１の方向とのなす角が３６０°の方向と、の間において予め設定された複数の方向にアンテナを設定する形態であれば良い。例えば、第２強度取得部１１６が、互いになす角が１０°となる３６個の方向にアンテナを設定する形態でも良い。
【図面の簡単な説明】
【００９７】
【図１】は、本発明に係るデジタル放送受信機の構成の一例を示すブロック図である。
【図２】は、本発明に係るデジタル放送受信機における主要部の構成の一例を示すブロック図である。
【図３】は、チャンネル記憶部、判定値記憶部及び設定方向記憶部にそれぞれ格納された情報の一例を示す図表である。
【図４】は、スマートアンテナの設定方向、及び、２指向性アンテナ、１指向性アンテナの指向性を示す図である。
【図５】は、デジタル放送受信機（主にＭＰＵ）の動作の一例を示すフローチャートである。
【図６】は、図５に示すフローチャートのステップＳ１０５において実行される種類判別処理の一例を示す詳細フローチャート（前半部）である。
【図７】は、図５に示すフローチャートのステップＳ１０５において実行される種類判別処理の一例を示す詳細フローチャート（後半部）である。
【図８】は、図５に示すフローチャートのステップＳ１１１において実行される方向設定処理Ａの一例を示す詳細フローチャートである。
【図９】は、図８に示すフローチャートのステップＳ３１９において実行される判定値更新処理の一例を示す詳細フローチャート（前半部）である。
【図１０】は、図８に示すフローチャートのステップＳ３１９において実行される判定値更新処理の一例を示す詳細フローチャート（後半部）である。
【図１１】は、図５に示すフローチャートのステップＳ１１５において実行される受信可否判定処理の一例を示す詳細フローチャートである。
【図１２】は、図５に示すフローチャートのステップＳ１１９において実行される方向設定処理Ｂの一例を示す詳細フローチャートである。
【図１３】は、図５に示すフローチャートのステップＳ１２１において実行される方向設定処理Ｃの一例を示す詳細フローチャートである。
【符号の説明】
【００９８】
１    デジタル放送受信機（放送受信装置）
１１    ＭＰＵ
１１１    チャンネル設定部
１１２    チャンネル判定部
１１３    第１強度取得部
１１４    判定値決定部（第１判定手段の一部、第２判定手段の一部）
１１５    アンテナ判定部（第１判定手段の一部、第２判定手段の一部）
１１６    第２強度取得部（強度取得手段の一部）
１１７    方向設定部（方向設定手段）
１２    ＲＡＭ
１２１    チャンネル記憶部
１２２    判定値記憶部（第１判定手段の一部、第２判定手段の一部）
１２３    設定方向記憶部
１５    受信部（強度取得手段の一部）
１５１    アンテナ部
１５２    チューナ部
１８    画像出力部
１８３    ディスプレイ
【図１】
2008199244.tif 000003
【図２】
2008199244.tif 000004
【図３】
2008199244.tif 000005
【図４】
2008199244.tif 000006
【図５】
2008199244.tif 000007
【図６】
2008199244.tif 000008
【図７】
2008199244.tif 000009
【図８】
2008199244.tif 000010
【図９】
2008199244.tif 000011
【図１０】
2008199244.tif 000012
【図１１】
2008199244.tif 000013
【図１２】
2008199244.tif 000014
【図１３】
2008199244.tif 000015